(57)【要約】      （修正有）【課題】便失禁専用のパットや薄着風おむつを提供する。【解決手段】突発的な便意でトイレに到着するまでの極めて少量の便失禁や便液モレに対応するために、股下局部に挟むことができる男女共用のワンタッチパットを作成する。また、持ち上げ引き帯を設けて、男性器を肛門口から引き離して陰のうが便で汚れないようにした、男性向けの便失禁専用のぴたっとパットを作成し、窓開き開放口（２３）を設け男性器をおむつの外に出して、下腹部の圧迫感をなくし、Ｍ字型の流れ防止の土手（２５）を設けることにより吸収体パット部分の範囲を可能な限り小さくして、薄着の下着風おむつにした男性向けの便失禁専用おむつを作成する。【選択図】図３
2019107469.tif 000002
【特許請求の範囲】
【請求項１】
お尻のくぼみに挟んで極めて少量の便失禁専用のパットとして使用する形態と方法。
（イ）股下局部に引当てる股下パット（４）を作る。
（ロ）肛門口をしっかり押えるために、かまぼこ型の埋山（２）の如き盛り上り部分を股下パット（４）の吸水域（９）の中央に設ける。
（ハ）この股下パット（４）の位置を安定させるために、ズレ防止の引き帯（３）を股下パット（４）の背面部側に設けて粘着テープ等でパンツに固定する。男女共用として使用可能。以上の形態と方法。
【請求項２】
パンツに粘着テープなどで安定させて、長時間使用可能な男性向けの便失禁専用パットとして使用する形態と方法。
（イ）失禁便の流出防止と吸収を高めるために、パット本体（１６）の吸水域（９）の中央部に流れ防止の土手（１０）とかまぼこ型の埋山（２）の如き盛り上り部分を設ける。
（ロ）男性器をパットの抑圧ストレスから解放するために、パット本体（１６）の前面側左右両端に２本の持ち上げ引き帯（１５）を設ける。これによりパットが男性器を押えることはない。
（ハ）男性器を陰のうの根元から持ち上げ肛門から遠ざけて、失禁便で汚れないようにするために、２本の持ち上げ引き帯（１５）の間のパット本体（１６）の上辺に下弦月状のくぼみ（２１）を設ける。これにより失禁便が陰のうに付着することを防止できる。
【請求項３】
男性器に抑圧ストレスを与えず吸水域（９）を極力小さくして、可能な限り薄着型にした男性向けの便失禁専用のおむつとして使用する形態と方法。
（イ）おむつの身体前面側に窓開き開放口（２３）のような男性器全体をおむつの外部に出す構造を設ける。これにより男性器におむつの抑圧ストレスを与えない。
（ロ）陰のうが失禁便で汚れない様にするために窓開き開放口（２３）の肛門側の縁を半円形状の開放口（２４）の形状で設ける。これにより陰のうを根元から持ち上げて、肛門口から引き離すことができる。
（ハ）股下域（７）の肛門周辺に対応する吸水域（９）部分にＭ字型の流れ防止の土手（２５）を設ける。これにより吸水域（９）の規模を縮小することができて、おむつ全体を薄着風にすることが可能になる。以上の形態と方法。
【発明の詳細な説明】
【技術分野】
【０００１】  男性向けの比較的軽い便失禁専用の用具に関するもの。
【背景技術】
【０００２】  従来のパットやおむつは、尿とり専用又は尿とりと便失禁両方対応の物だけであり、男性向けの便失禁専用のパットとおむつが無い。
【発明の概要】
【発明が解決しようとする課題】
【０００４】  これまでは以下のような課題や要望があった。
（イ）介護用品以外では、パットは尿とり専用パットしかなく便失禁専用パットがない。
（ロ）おむつは尿とり専用又は尿とりと便失禁両方対応があるが、便失禁専用のおむつがない。
（ハ）市場にある下着風おむつ、薄着風おむつ、パンツ型おむつと称する物も、実際には吸水域のパット部分が相当広いために穿き心地も見た目も宣言文言にはほど遠い。
（ニ）健康な男性成年層の悩みは、尿とり専用パットよりも便失禁専用パットを必要としている。
（ホ）仕事のストレス等による通勤途上の男性の便失禁は比較的軽度であることが多くトイレに到着するまでの対応ができれば良く、又事後処理が簡単なものが求められている。
（ヘ）これまでのパットやおむつは男性器を押え込むために抑圧のストレスが大きく、かつ排尿時に不便なために男性向けの便失禁専用の用具が強く要望されている。
【課題を解決するための手段】
【０００５】  お尻のくぼみに挟んで極めて少量の便失禁に対応するためにワンタッチパット（１）と称する以下の用具を作る。股下局部に引当てる股下パット（４）を作り、肛門口をしっかり押えるためにかまぼこ型の埋山（２）を股下パット（４）の中央に設ける。この股下パット（４）の背面部側にズレ防止の引き帯（３）を設けて、そのパンツ側面に粘着テープを設けてパンツに付着させて安定させる。次に、パンツに粘着させて長時間使用可能な、ぴたっとパット（１４）と称する男性向けの便失禁専用パットを作る。男性器をパットの抑圧ストレスから解放するためにパット本体（１６）に２本の持ち上げ引き帯（１５）を設けて、その間に男性器用の空間を作る。男性器を陰のうの根元から持ち上げるために、この２本の持ち上げ引き帯（１５）の間に下弦月状のくぼみ（２１）を設ける。そして、この持ち上げ引き帯（１５）のパンツ側面に粘着テープを設ける。これにより失禁便の陰のうへの付着を防止できる。次に、男性器に抑圧ストレスを与えない男性向けの便失禁専用のおむつを以下の方法で作る。おむつの身体前面側に窓開き解放口（２３）を設けて、男性器全体をおむつの外部に出す構造とする。窓開き解放口（２３）の下部は半円形状の解放口（２４）として、陰のうを根元から持ち上げて失禁便の汚れを防止する。肛門周辺に当たる吸水域（９）の中心部にＭ字型の流れ防止の土手（２５）を設ける。吸水力と流れ防止に効果があり、これにより吸水域（９）の範囲を極めて小さくできおむつ全体を薄着化することが可能となる。これを窓開き下着風おむつ（２２）と称する。
【発明の効果】
【０００６】  （イ）朝出勤前に、ワンタッチパットを使用すれば、極めて軽微な便失禁には十分対応できるので安心して外出でき、出勤途上でトイレに到着するまでに失敗することが少なくなる。
（ロ）ぴたっとパットをパンツ内に装着して外出すれば、下痢以外の少量の軟便等に十分対応できる。男性器を押えこまないので、抑圧感のストレスがなく排尿時の煩わしさも解消される。加えて陰のうが失禁便で汚れることも防止できる。
（ハ）従来のおむつと異って窓開き下着風おむつは以下の効果がある。男性器を押えこまないので抑圧感のストレスがない。排尿時に従来のおむつの様な煩わしさがない。陰のうが失禁便で汚れることが極めて少なくなる。Ｍ字型の流れ防止の土手の設置により、失禁便の流出防止、吸水力の向上に効果がある。全体の吸水域を従来に比較して相当程度縮少できるので穿き心地が向上し、外観上も薄くて見た目もすっきりしているので、成年層の男性が使用する際の抵抗感が極めて小さくなる。
【図面の簡単な説明】
【０００７】
【図１】  ワンタッチパットの平面図
【図２】  ぴたっとパットの平面図
【図３】  窓開き下着風おむつの平面図
【発明を実施するための形態】
【０００８】  本発明は、健康で毎日元気に働いている会社員や学生を中心とした男性の成年層に供する軽い便失禁に対応するものです。介護用おむつ、老人用おむつ、下着感覚のパンツと称するおむつ等や尿とりパットの類とは全く用途を異にするものです。朝出勤や通学途上の電車等で乗車時の急な便意の不安がある際に、予め普段のパンツの中に着用する用具で、体調や緊張感やストレスによる便失禁の不安の軽重に応じて使い分けする３種類の便失禁専用の対応用具で構成されます。まず、ワンタッチパット（１）につき記述する。これは極めて軽微な便失禁に対応するものであり、男女共用で使えるものです。会陰部から肛門を中心に股下局部にワンタッチパット（１）を押しあてて尻部くぼみでしっかり挟み込む。その際、かまぼこ型の埋山（２）の中心が肛門に当たる様に注意し、ズレ防止の引き帯（３）を引っ張ってワンタッチパット（１）の位置を安定させる。そしてパンツを穿いてワンタッチパット（１）を軽く押えて位置を確認し、ズレ防止の引き帯（３）を上に引っ張って裏面の粘着テープをパンツに貼り止めて、パンツの位置を安定させる。これにより下痢以外であれば、トイレに到着するまでの間の少量の便失禁や我慢途上での少量の便液モレには十分対応できる。このワンタッチパット（１）の大きさと形状につき記述する。股下パット（４）は幅７０ミリ、長さ１１４ミリの大きさで、ズレ防止の引き帯（３）は根元（１１）の幅２０ミリ、手元（１２）の幅３０ミリ、長さ８６ミリとする。股下パット（４）の前面側の上辺（５）は１０ミリの幅間で曲線でふくらみ、背面側の下辺（６）は１５ミリの幅間で曲線で縮む。全体の表面材は外面側は不織布、内面側はポリオフィンとする。左右両縁に幅５ミリの立体ギャザー（８）を設ける。股下パット（４）の中央部分に幅５０ミリ、長さ９０ミリの範囲で厚み２ミリの吸水域（９）を設ける。形は大概長方形でよい。吸水材は綿状パルプ、高分子吸水材、防水材はポリオレフィンフィルムで構成する。吸水域（９）の中心部に幅２０ミリ、長さ６０ミリのかまぼこ型の埋山（２）を設ける。かまぼこ型の埋山（２）は頂きの高さ１０ミリの半円柱で、前面側及び背面側の両端は１０度の角度で上から下にけずって傾斜（１３）を設け、吸水材の密度を厚くして適度の硬さを持つものとする。かまぼこ型の埋山（２）に隣接した前部に、幅５ミリ、長さ４０ミリの身体前面方向へのもれを防ぐ流れ防止の土手（１０）を設ける。頂きの高さ、左右両端の傾斜（１３）はかまぼこ型の埋山（２）と同様とする。一体となった流れ防止の土手（１０）とかまぼこ型の埋山（２）は失禁便や便液の吸水を高めて流れを防止し尻部くぼみをしっかり押えて挟み易くする効果を目的としている。ズレ防止の引き帯（３）は根元（１１）から手元（１２）に向けて末広がりの形状とし、身体背面側に伸ばした際にパンツに固定するために、パンツ側の面に粘着テープを設ける。これにより歩行中にズレ落ちてしまう心配はないが、これでも不安な場合は、ワンタッチパット（１）を押える感じで尻部該当部に横方向にサージカルテープを貼ることも可能。但しボクサータイプ、ブリーフタイプ等の身体にぴったりした下着を穿けばその必要はない。次に、ぴたっ���パット（１４）につき記述する。これは尿とりパットや生理用パットと同様に、パンツに粘着テープで付着させて使用するものである。通勤途上で突発性の便意が習慣的に予想される場合に使用するもので、トイレに到着するまでの比較的少量の便失禁や軟便傾向に対応する。このぴたっとパット（１４）は、陰のうを根元から持ち上げて肛門から遠ざけるための持ち上げ引き帯（１５）とかまぼこ型の埋山（２）、流れ防止の土手（１０）を設置した男性向けの便失禁専用パットである。健康な成人がストレスや神経的な要因で、通勤時に突発的な便意を催す場合は、このぴたっとパット（１４）を装着しているという安心感でそれを抑止する効果もあり、又トイレでの事後処理も簡単である。このぴたっとパットの大きさと形状につき記述する。ぴたっとパット（１４）のパット本体（１６）は、幅８０ミリ、左右両端の長さ１２０ミリとする。身体前面側の２本の持ち上げ引き帯（１５）は、幅１１ミリ、長さ７０ミリ、上部に幅広つまみ部分（１７）を設ける。背面側のズレ防止の引き帯（３）は根元（１１）幅２０ミリ、手元（１２）幅４０ミリ、長さ５６ミリとする。パット本体（１６）は、左右両縁に幅５ミリの立体ギャザー（８）を設ける。前面側は左右両端から各１５ミリ内側、根元（１１）から垂直に１２０ミリの位置１（１８）から２８ミリ垂直に離れた２箇所の位置２（１９）の間を下弦月状に１０ミリの高低で曲線状にくぼむ形とする。背面側端は２箇所の位置３（２０）の間を上弦月状に２０ミリの高低で曲線状にふくらみ、ズレ防止の引き帯（３）に結がる形とする。パット本体（１６）の中央部分に幅５０ミリ、長さ１２０ミリの範囲で、厚さ３ミリの吸水域（９）を設ける。吸水域（９）の前面側両角は４５度傾斜でけずり、前面側の上辺（５）の長さ３０ミリとする。背面側両角は１５度傾斜でけずり、下辺（６）の長さは３０ミリとする。上辺（５）から１０ミリ離れた中心部背面側に流れ防止の土手（１０）を設け、それに隣接してかまぼこ型の埋山（２）を設ける。流れ防止の土手（１０）は幅５ミリ、長さ４０ミリ、頂きの高さ１０ミリの半円柱で左右の両端は１０度の角度で上から下にけずって傾斜（１３）を設け、吸水材の密度を厚くして適度の硬さを持たせる。背面側に隣接して中心部に設けるかまぼこ型の埋山（２）は、幅２０ミリ、長さ６０ミリ、頂きの高さ１０ミリの半円柱で上下の両端は１０度の角度で上から下にけずって傾斜（１３）を設け、吸水材の密度を厚くして適度の硬さを持たせる。身体前面側の２本の持ち上げ引き帯（１５）は位置２（１９）から各々８０度の角度で伸び、上部の幅広つまみ部分（１７）は、横幅３０ミリ、縦幅２０ミリの長方形とし、表面材の素材はパット本体（１６）部分の物よりやや厚目の構成とする。パンツ側面に粘着テープを設けてパンツに付着、安定させる。背面側のズレ防止の引き帯（３）は、根元（１１）から手元（１２）にかけて末広がり状とし、根元（１１）から中心線で５０ミリ離れた箇所で５ミリの高さで半円形にふくらむ曲線とする。パンツ側面に粘着テープを設置し、よく引っ張って位置を安定させてパンツに付着させる。この２本の持ち上げ引き帯（１５）の間の下弦月状のくぼみ（２１）が陰のうを根���から持ち上げて、肛門から遠ざける役目を持つ。従って２本の持ち上げ引き帯（１５）でしっかり引っ張って位置を安定させてパンツに粘着させる。ぴたっとパット（１４）のパンツ側全面に粘着テープを設けても良い。全体の表面材、吸水域（９）の吸水材、防水材等の素材構成は前記ワンタッチパット（１）と同様とする。最後に窓開き下着風おむつ（２２）につき記述する。これは身体前面部のおむつが男性器を押さえないようにするための機能と、肛門から出来るだけ陰のうを引き離して失禁便が陰のうに付着しないようにするための機能、及び失禁便が前面方向、横方向に流れ出ないようにするための機能を備えるものである。加えて健康な男性成年層に供するために吸水体パットの範囲を極力小さくして、穿き心地も見た目もすっきりしたパンツ風にしている。具体的には男性器をおむつの外に出す窓開き開放口（２３）を設け、その肛門側部分は陰のうを根元から上に引き上げるための半円形状の開放口（２４）とする。股下の吸水域（９）の中心部に、前方向と左右横方向に失禁便が流れ出ないようにＭ字型の流れ防止の土手（２５）を設ける。更に吸水域（９）を可能な限り小さく設定した薄いパンツ型の男性専用の便失禁専用のおむつである。この形態は斜視図や断面図で構成を説明するのが難しいために、両脇の貼り合せ部（２６）を左右の足ぐりまで切断した状態を平面図にした図３に基づいて詳細を記述する。窓開き下着風おむつ（２２）の全体の大きさは、縦の長さは身体前面部２８０ミリ、股下域（７）の幅狭部１２０ミリ、身体背面部２８０ミリとする。身体前面部から記述する。ウエスト伸縮帯（２７）は幅３０ミリ、横の長さ２００ミリ、伸縮材としわ加工の中段伸縮帯（２８）は最大幅８０ミリとする。左右両脇の貼り合せ部（２６）はウエスト伸縮帯の下側縁の位置４（２９）から下に１３２ミリ、横へ８８ミリの位置５（３０）に幅５ミリの帯状で設置する。位置５（３０）から位置６（３１）が足ぐり縁になる。位置６（３１）から位置７（３２）の２２０ミリの間に、窓開き関放口（２３）の全部、Ｍ字型の流れ防止の土手（２５）と吸水域（９）の大半を設置する。ウエスト伸縮帯（２７）の前面側の中心点の位置８（３３）から下に１８０ミリの箇所に、横７２ミリ、縦８０ミリの長方形開放口（３４）とその下４０ミリの高さの半円形状の開放口（２４）で形づくる窓開き開放口（２３）を設ける。半円形状の開放口の先端部分（３５）は幅４０ミリ、頂き高さ１２ミリの一層の丸みを持つ形で、陰のうの根元を押えて男性器全体を持ち上げて、窓開き開放口（２３）の外に出す役目を持つ。位置８（３３）から背面側へ３００ミリの箇所から吸水域（９）を横幅１００ミリ、長さ１８０ミリで設ける。上端はＭ字型とする。背面側の先端の横幅は２０ミリとし、４０ミリ手前から角度をつけて細くする。吸水域（９）の厚みは５ミリ以上とする。Ｍ字型の流れ防止の土手（２５）は吸水域（９）の端に沿ってＭ字型に設ける。前面側は吸水域（９）の端に沿ってＭ字型に、背面部も吸水域（９）の左右両端に沿って左右共に長さ１２０ミリで設置する。規模は幅１０ミリ、頂きの高さ１０ミリでかまぼこ型の半円柱とし、吸水材の密度を厚くして適度の硬さを持たせる。両���下の位置６（３１）と位置７（３２）の間に、幅１２ミリの返しギャザー（３６）を設置し、その縁に幅５ミリで強めの伸縮材を織り込んで中心部で３０ミリ程度立ち上がる立体的な構造とする。身体背面部について記述する。ウエスト伸縮帯（２７）に接して中段伸縮帯（２８）を最大幅４０ミリで設ける。ウエスト伸縮帯（２７）の下側縁の位置９（３７）から前面部へ１３２ミリ、横へ８０ミリの位置１０（３８）までが両脇の貼り合せ部（２６）の合体面となる。従って位置１０（３８）から位置７（３２）、位置６（３１）、位置５（３０）を結ぐラインが足ぐり全体の太さとなる。平面図３で表わしたウエスト伸縮帯（２７）は静止時の長さは２００ミリであるが、引き伸ばすと最大４５０ミリまで拡大する。従って、伸縮材使用部分やしぼり加工を施こした部分等の膨らみ程度は通常の市販おむつと相当程度の同形態とする。かまぼこ型の埋山（２）、流れ防止の土手（１０）、Ｍ字型の流れ防止の土手（２５）のみ吸水材の密度を厚く構成し、その他は一般の市販されているおむつ、尿とりパット等の構成素材と同様とし、特に限定しない。
【符号の説明】
【０００９】１  ワンタッチパット
２  かまぼこ型の埋山
３  ズレ防止の引き帯
４  股下パット
５  上辺
６  下辺
７  股下域
８  立体ギャザー
９  吸水域
１０  流れ防止の土手
１１  根元
１２  手元
１３  傾斜
１４  ぴたっとパット
１５  持ち上げ引き帯
１６  パット本体
１７  幅広つまみ部分
１８  位置１
１９  位置２
２０  位置３
２１  下弦月状のくぼみ
２２  窓開き下着風おむつ
２３  窓開き開放口
２４  半円形状の開放口
２５  Ｍ字型の流れ防止の土手
２６  両脇の貼り合せ部
２７  ウエスト伸縮帯
２８  中段伸縮帯
２９  位置４
３０  位置５
３１  位置６
３２  位置７
３３  位置８
３４  長方形開放口
３５  半円形状の開放口の先端部
３６  返しギャザー
３７  位置９
３８  位置１０
【図１】
2019107469.tif 000003
【図２】
2019107469.tif 000004
【図３】
2019107469.tif 000005